(57)【要約】  電子源を用いる装置が外部より振動を受けても、安定した電子線を与える電子源を提供する。  この電子源は、一端部に電子放出部を有する針状チップ（１）と、針状チップ（１）の一端部と異なる他端部に接合されているカップ状部品（６）と、カップ状部品（６）を加熱するためのフィラメント（３）とを備える。また、このフィラメント（３）は、カップ状部品（６）の内部に設けられている空隙中に、カップ状部品（６）に対して非接触状態になるように配置されている。
2008140080.tif 000002
【特許請求の範囲】
【請求項１】
一端部に電子放出部を有するロッドと、前記ロッドの前記一端部と異なる他端部に接合されている伝熱部と、前記伝熱部を加熱するための電熱変換部と、を備える電子源であって、前記電熱変換部は、前記伝熱部の内部に設けられている空隙中に、前記伝熱部に対して非接触状態になるように配置されている、電子源。
【請求項２】
前記電熱変換部の両端部に電気的に接続されている一対の導電端子と、前記一対の導電端子および前記伝熱部を直接的または間接的に担持する絶縁碍子と、をさらに備える、請求項１記載の電子源。
【請求項３】
前記伝熱部がカップ状構造を有しており、前記ロッドの前記他端部が前記カップ状構造の外底部に接合されている、請求項１記載の電子源。
【請求項４】
前記電熱変換部が、前記カップ状構造の内部に、前記カップ状構造に対して非接触状態になるように配置されている加熱用フィラメントである、請求項３記載の電子源。
【請求項５】
前記ロッドが、前記一端部である先端部に前記電子放出部を有し、前記他端部である基部において前記カップ状構造の外底部に接合されている針状チップであり、該針状チップの前記基部から前記先端部へのベクトルが、前記カップ状構造の外底部平面に略垂直になるように設けられている、請求項３記載の電子源。
【請求項６】
前記ロッドが、タングステン、モリブデン、イリジウム、ニオブ、タンタルまたはレニウムの単結晶と、前記単結晶に設けられている金属元素の酸化物を拡散させるための供給源とを有する、請求項１記載の電子源。
【請求項７】
前記金属酸化物が、ジルコニウム、チタン、ハフニウム、スカンジウム、イットリウム、ランタノイド系列元素、バリウム、ストロンチウムおよびカルシウムからなる群から選ばれる１種以上の元素を含有する金属酸化物である、請求項６に記載の電子源。
【請求項８】
前記伝熱部が、タングステン、モリブデン、イリジウム、ニオブ、タンタルおよびレニウムからなる群から選ばれる１種以上の金属を含む材料からなる、請求項６記載の電子源。
【請求項９】
前記伝熱部および前記ロッドが、タングステン、モリブデン、イリジウム、ニオブ、タンタルまたはレニウムの単結晶からなる一体成形構造を有する、請求項６記載の電子源。
【請求項１０】
前記ロッドの動作温度が１５００Ｋ以下である、請求項６記載の電子源。
【発明の詳細な説明】
【技術分野】
【０００１】
本発明は、走査型電子顕微鏡、オージェ電子分光装置、電子線露光機、ウェハ検査装置などに適用される電子源に関する。
【背景技術】
【０００２】
近年、熱陰極よりも長寿命でより高輝度の電子ビームを得るために、タングステン単結晶の針状電極にジルコニウムと酸素の被覆層を設けた陰極を用いた電子源が用いられている（以下、ＺｒＯ／Ｗ電子源と記す）（非特許文献１参照）。【０００３】
ＺｒＯ／Ｗ電子源は、軸方位が＜１００＞方位からなるタングステン単結晶の針状の陰極に、ジルコニウムと酸素からなる供給源を設け、ジルコニウム及び酸素を拡散することにより被覆層（以下、ＺｒＯ被覆層という）を形成し、該ＺｒＯ被覆層によってタングステン単結晶の（１００）面の仕事関数を４．５ｅＶから約２．８ｅＶに低下させたもので、この陰極の先端部に形成された（１００）面に相当する微小な結晶面のみが電子放出領域となるので、従来の熱陰極よりも高輝度の電子ビームが得られ、しかも長寿命であるという特徴を有する。【０００４】
ＺｒＯ／Ｗ電子源は、図１に示すように、絶縁碍子５に固定された導電端子４に設けられたタングステン製のフィラメント３の所定の位置に電子ビームを放射するタングステンの＜１００＞方位の針状チップ１が溶接等により固着されている。針状チップ１の一部には、ジルコニウムと酸素の供給源２が設けられている。【０００５】
このような電子源使用装置において、低加速電子ビームを用いる場合、レンズにより絞った電子ビームの径は色収差により支配され、この色収差を低減するには電子源から放射される電子のエネルギー幅を小さくする必要がある。【０００６】
色収差の低減には電子源の動作温度を下げることが有効であるが、動作温度を下げると放射電流が激減するため、電子源の動作温度を下げるには仕事関数の低い電子源を用いなければならない。以上の観点から、ＺｒＯ吸着層に代わる低仕事関数を有するタングステン単結晶上への吸着種とその供給源の探索が近年精力的に行なわれている。【０００７】
一方、冷電界放射電子源は、タングステン単結晶の＜１１１＞、＜３１０＞または＜１００＞方位の針状の陰極を、タングステン製のフィラメントに溶接したものであり、放射電流はＺｒＯ／Ｗ電子源と比較して非常に小さいが、室温で動作させるために色収差が小さく、高分解能ＳＥＭ用の電子源として用いられている（例えば、特許文献１参照）。【０００８】
冷電界放射電子源は室温で動作させているため、電子放射面にガス吸着しやすく、しだいにビーム電流が不安定になることから、高真空度の装置が必要であるとともに、定期的にフラッシングと呼ばれるフィラメント加熱によるクリーニングを行なう必要がある。【０００９】
さらに最近では、原子スケールの微小先端をもつナノ電子源が実験レベルで作製されており、極めて小さな点光源として超高分解能ＳＥＭなどへの適用が検討されている。ナノ電子源の作製においても、作製工程において通常加熱処理が必要なことから、通常は図１と同様な針状チップを加熱フィラメントに溶接した構造を持っている（特許文献２参照）。【００１０】
【特許文献１】特開昭５０−１１５７６号公報
【特許文献２】特開２００６−１３４６３８号公報
【非特許文献１】D.Tuggle,J.Vac.Sci.Technol.16,p1699(1979)
【発明の開示】
【発明が解決しようとする課題】
【００１１】
しかしながら、再びＺｒＯ／Ｗ電子源に話を戻すとＺｒＯ／Ｗ電子源を用いて比較的高倍率でＳＥＭ像を見る際、装置周辺からの振動によりノイズが発生し、分解能が得られず、測長などを行うことができない場合がある。【００１２】
本発明は上記事情に鑑みてなされたものであり、電子源を用いる装置が外部より振動を受けても、安定した電子線を与える電子源を提供することを目的とする。
【課題を解決するための手段】
【００１３】
本発明によれば、一端部に電子放出部を有するロッドと、ロッドの一端部と異なる他端部に接合されている伝熱部と、伝熱部を加熱するための電熱変換部と、を備える電子源であって、電熱変換部は、伝熱部の内部に設けられている空隙中に、伝熱部に対して非接触状態になるように配置されている、電子源が提供される。【００１４】
この構成によれば、電熱変換部が、伝熱部の内部に設けられている空隙中に、伝熱部に対して非接触状態になるように配置されているため、電熱変換部と、伝熱部に接合されているロッドが有する電子放出部とが互いに非接触状態に設けられていることになる。そして、電熱変換部と、電子放出部とが互いに非接触状態に設けられているため、装置外部で発生した振動に対して電熱変換部が共振したとしても、電熱変換部の共振が電子放出部に伝わって電子放出部そのものも振動することをほぼ完全に抑制することができる。【００１５】
その結果、この構成によれば、電子放出部がほとんど振動しないことによって、電子源から放出される電子線において非常に微小なノイズの発生すら抑制することができる。すなわち、この構成によれば、電子源を用いる装置が外部より振動を受けても、安定した電子線を与えることができる。
【発明の効果】
【００１６】
本発明によれば、電熱変換部が、伝熱部の内部に設けられている空隙中に、伝熱部に対して非接触状態になるように配置されているため、電子源を用いる装置が外部より振動を受けても、安定した電子線を与えることができる。
【図面の簡単な説明】
【００１７】
【図１】比較例に係る、従来公知の電子源の構造図である。
【図２】本発明に係る電子源の一例についての構造図である。
【図３】本発明に係る電子源（図２）を針状チップの方向から見た図である。
【図４】電子放射特性の評価装置の構成図である。
【符号の説明】
【００１８】
１：    針状チップ
２：    供給源
３：    フィラメント
４：    導電端子
５：    絶縁碍子
６：    カップ状部品
７：    金属部品
８：    サプレッサー電極
９：    引き出し電極
１０：    蛍光板
１１：    アパーチャー
１２：    カップ状電極
１３：    プローブ電流測定用微小電流計
１４：    バイアス電源
１５：    高圧電源
１６：    フィラメント加熱電源
１７：    全放射電流測定用電流計
１８：    放射電子線
２０：    金属片
【発明を実施するための最良の形態】
【００１９】
＜用語の説明＞
本明細書および請求の範囲では、下記の通り用語の意味を定義する。【００２０】
下限数値〜上限数値：下限数値以上かつ上限数値以下を意味する。【００２１】
ロッド（ｒｏｄ）：棒、竿状のものを意味する。なお、ロッドには、円柱、四角柱、三角柱、円錐、四角錐、三角錐、線状、針状のものが含まれるものとする。また、ロッドには、後述する針状チップが含まれるものとする。【００２２】
カップ（ｃｕｐ）状構造：食器の一種である、杯、コップ、コーヒーカップ、ティーカップ、マグカップ、カップ麺などの容器状の構造を意味する。なお、１以上の開口部のある凹部を有する立体構造であればカップ状の構造であるものとする。【００２３】
＜発明の経緯＞
本発明者等は、ＺｒＯ／Ｗ電子源を用いて比較的高倍率でＳＥＭ像を見る際、装置周辺からの振動によりノイズが発生し、分解能が得られず、測長などを行うことができない場合があることに気づき、このノイズの除去のために鋭意研究開発に励んだ。その結果、本発明者等は、このノイズは、ＺｒＯ／Ｗ電子源のタングステンフィラメントが共振周波数により振動していることが原因であるのではないかと考えた。【００２４】
さらに、本発明者等は、上述の従来技術では、陰極を加熱フィラメントに溶接した構造を持つため、例えば比較的高倍率でＳＥＭ像をみる際、加熱用フィラメントが固有の共振周波数を有していることと相俟って、装置外部で発生した振動と加熱用フィラメントが共振すると考えらた。そして、本発明者等は、この共振を抑制するために、何らかの形で加熱用フィラメントそのものを陰極から外してしまえばよいのではないかと考えた。【００２５】
一方、本発明者等は、このチップの振動を抑制するため、装置の外側に防振構造を設けることによる対処法が試みられているが、このような対処法では、完全に共振しないようにするためには、装置として大がかりなものになってしまうという問題があることも見出した。【００２６】
そこで、本発明者等は、加熱用フィラメントそのものを陰極から外してしまい、全く別の方法によって陰極を加熱する方法に思い至り、一端部に電子放出部を有するロッドと、ロッドの一端部と異なる他端部に接合されている伝熱部と、伝熱部を加熱するための電熱変換部と、を備える電子源であって、電熱変換部は、伝熱部の内部に設けられている空隙中に、伝熱部に対して非接触状態になるように配置されている、電子源を作製したところ、実際にノイズの抑制が可能であることを確認し、本発明を完成した。【００２７】
＜実施形態＞
以下、本発明の実施の形態について、電子顕微鏡、電子線露光機、測長ＳＥＭ等に用いられる、動作温度が１５００Ｋ以下の電子放射陰極を例に説明するが、本発明はこれに制限されるものではない。尚、すべての図面において、同様な構成要素には同様の符号を付し、適宜説明を省略する。【００２８】
図２は、本実施形態に係る電子源の一例について横方向から見た図であり、図３は本実施形態の電子源の一例について針状チップの方向から見た図である。本実施形態に係る電子源は、図２〜図３に示すように、一端部に電子放出部を有する針状チップ１（ロッド）と、針状チップ１（ロッド）の一端部と異なる他端部に接合されているカップ状部品６（伝熱部）と、カップ状部品６（伝熱部）を加熱するためのフィラメント３（電熱変換部）と、を備える。【００２９】
また、本実施形態に係る電子源では、フィラメント３（電熱変換部）は、カップ状部品６（伝熱部）の内部に設けられている空隙中に、カップ状部品６（伝熱部）に対して非接触状態になるように配置されている。そして、本実施形態に係る電子源は、フィラメント３（電熱変換部）の両端部に電気的に接続されている一対の導電端子４と、この一対の導電端子４およびカップ状部品６（伝熱部）を直接的または間接的に担持する絶縁碍子５と、をさらに備える。【００３０】
また、本実施形態に係る電子源は、絶縁碍子５に、必要ならば金属部品７を介して、カップ状部品６をカップ部分が絶縁碍子５に面するように固定されている。また、針状チップ１（ロッド）の電子放出部と異なる他端部がカップ状部品６（カップ状構造）の外底部に接合されている。すなわち、針状チップ１（ロッド）は、一端部である先端部に電子放出部を有し、他端部である基部においてカップ状部品６（カップ状構造）の外底部に接合されており、その針状チップ１（ロッド）の基部から先端部へのベクトルが、カップ状部品６（カップ状構造）の外底部平面に略垂直になるように設けられている。【００３１】
さらに詳細に説明すれば、カップ状部品６の外底部の所定の位置に、電子ビームを放射する高融点金属単結晶からなる針状チップ１が溶接等により固定されている。そして、このカップ状部品６のカップ内部に加熱用ヒーターとしての加熱用フィラメント３が機械的、電気的に非接触となるように配置され、この加熱用フィラメント３は、絶縁碍子５に固定された導電端子４に電気的に接続されている。【００３２】
ここで、カップ状部品６のカップ内部に加熱用ヒーターとしての加熱用フィラメント３の材質は、特に限定しないが、例えば加熱効率の面からタングステン製の加熱用フィラメント３を用いることが好ましい。また、加熱用フィラメント３を配置する際には、配置形状を特に限定するものではなく、加熱用フィラメント３がカップ状部品６に接触することがなく、さらに加熱用フィラメント３からの輻射熱により電子源の安定動作温度領域までカップ状部品６および針状チップ１を加熱することが可能であればよい。具体例としては、図２に示すように、加熱用フィラメント３をカップ状部品６のカップ内部で、カップ状部品６と所定の間隔（例えば、０．２ｍｍ以上の間隔）を空けた上で螺旋状に巻いて配置しても良い。【００３３】
このように螺旋状に巻いて配置すれば、加熱用フィラメント３の構造が力学的に安定するので、多少の振動によっても加熱用フィラメント３がカップ状部品６に接触することがなく、加熱用フィラメント３の表面積を多くカップ内に確保できるので、加熱用フィラメント３からの輻射熱により電子源の安定動作温度領域までカップ状部品６および針状チップ１を効率よく加熱できる。そして、この加熱用フィラメント３の螺旋状の部分は、絶縁碍子５にロウ付けされた一対の導電端子４に、加熱用フィラメント３の非螺旋状の部分を介して溶接により固定され、通電加熱できるようにする。【００３４】
本実施形態に係る電子源は、当該構造を採用しているので、加熱用フィラメント３からの輻射熱により電子源の安定動作温度領域までカップ状部品６および針状チップ１を加熱することが可能であると同時に、加熱用フィラメント３の振動がカップ状部品６に伝わらない為、外界からの振動によるカソード（陰極、すなわち針状チップ１）の共振によるノイズの発生が極めて小さく押さえることができる。すなわち、本実施形態に係る電子源によれば、加熱用フィラメント３（電熱変換部）が、カップ状部品６（伝熱部）の内部に設けられている空隙中に、カップ状部品６（伝熱部）に対して非接触状態になるように配置されているため、電子源を用いる装置が外部より振動を受けても、安定した電子線を与えることができる。その結果、当該電子源を用いた装置では、その外側に防振構造などを設けることなく高分解能が得られ、低いコストで高信頼性を達成することができるという格別の効果が得られる。【００３５】
ここで、本実施形態で用いる針状チップ１の材料としては、特に限定するものではなく、任意の公知の材料を用いることができるが、高融点金属の単結晶であることが好ましく、特に、タングステン（Ｗ）、モリブデン（Ｍｏ）、イリジウム（Ｉｒ）、ニオブ（Ｎｂ）、タンタル（Ｔａ）、レニウム（Ｒｅ）の何れかから選ばれた元素の単結晶であることが、蒸発消耗等により信頼性を損ねることが無く好ましい。【００３６】
さらに、針状チップ１の材料としては、例えばタングステン（Ｗ）単結晶またはモリブデン（Ｍｏ）単結晶を用いることがより一層好ましい。より具体的には、軸方位が＜１００＞方位からなるタングステン単結晶の針状のチップ（ロッド、陰極）を用いることが最も好ましい。針状チップ１の材料として、このような材料を用いれば、長寿命でより高輝度の電子ビームを放出可能な電子源を得ることができるためである。【００３７】
また、針状チップ１には、特に限定する趣旨ではないが、電子放射面の仕事関数を低下させる効果のある金属と酸素からなる供給源が設けられることが好ましい。具体例としては、とりわけジルコニウム（Ｚｒ）、チタン（Ｔｉ）、ハフニウム（Ｈｆ）、スカンジウム（Ｓｃ）、イットリウム（Ｙ）、ランタノイド系列元素、バリウム（Ｂａ）、ストロンチウム（Ｓｒ）、カルシウム（Ｃａ）の群から選ばれた元素を含有する金属酸化物からなる供給源を有する電子源が、高分解能ＳＥＭ用の電子源として用いるための電界放射電子源として好ましく適用できる。【００３８】
また、本実施形態で用いるカップ状部品６についても、特に限定するものではなく、任意の公知の材料を用いることができるが、同様の理由から高融点金属の単結晶であることが好ましく、タングステン（Ｗ）、モリブデン（Ｍｏ）、イリジウム（Ｉｒ）、ニオブ（Ｎｂ）、タンタル（Ｔａ）、レニウム（Ｒｅ）の何れかからなることが、蒸発消耗等により信頼性を損ねることが無く好ましい。【００３９】
カップ状部品６の絶縁碍子５への固定においては、直接絶縁碍子５にロウ付け等の方法で固定しても構わないが、図２に例示するように、カップ状部品６を溶接等により固定できる金属部品７を予め絶縁碍子５にロウ付け等で固定しておき、後からカップ状部品６を固定することで、作製が容易になり、かつカップを強固に固定できるので好ましい。なお、金属部品７には剛性を維持しつつ熱の逃げを低減するため、図３に示すような穴を数ヶ所設けておくことが好ましい。また、カップ状部品６を固定するための金属部品７は、電気的に制御できるよう、絶縁碍子５にロウ付けされた一対の導電端子４とは電気的に接触しないように、間隔を空けて設けることが好ましい。また、カップ状部品６を固定するための金属部品７は、力学的な構造安定性の実現のためには、さらに別の金属片２０を介して絶縁碍子５に接続していることが好ましい。【００４０】
また、針状チップ１とカップ状部品６とのいずれもが、タングステン、モリブデン、イリジウム、ニオブ、タンタル、レニウムの何れかから選ばれた元素の一つの単結晶からなる一体成形品である場合には、カップ状部品６を絶縁碍子５に溶接等で固定することのみで、後から針状チップ１を接続する必要が無く、製造し易い利点が得られる。さらに、この場合には、予め位置精度よく針状チップ１をカップ状部品６に形成することが可能であり針状チップ１の位置精度に優れる電子源が容易に得ることができるので好ましい。【００４１】
本実施形態の電子源は、その使用温度についてその上限を設けるべき理由はないものの、加熱用ヒーターとして通常のタングステン、タングステン−レニウム等からなる加熱用フィラメント３を採用するとき、加熱フィラメント３が許容される温度が２０００Ｋ以下であり、安定動作を確保できる針状チップ１の温度は１５００Ｋ以下、さらに好ましくは１３００Ｋ以下である。従い、動作温度が１５００Ｋ以下の電子源、更に好ましくは１３００Ｋ以下の動作温度の電子源において本実施形態の効果が顕著に発揮できる。【００４２】
１５００Ｋ以下の温度で安定動作する電子源としては、針状チップ１がタングステン単結晶またはモリブデン単結晶からなり、電子放射面の仕事関数を低下させる効果のある金属と酸素からなる供給源、とりわけチタン、ハフニウム、スカンジウム、イットリウム、ランタノイド系列元素、バリウム、ストロンチウム、カルシウムの群から選ばれた元素を含有する金属酸化物からなる供給源を有する電子源が好ましく適用できる。【００４３】
図４は、電子放射特性の評価装置の構成図である。図４に示すように、この針状チップ１を引き出し電極９とサプレッサー電極８の間に配置して、引き出し電極９に対して針状チップ１に数キロボルトの負の高電圧を印加する。サプレッサー電極８には針状チップ１に対して数百ボルトの負の電圧を印加すると共に針状チップ１を１３００Ｋ以下に加熱することにより電子放射が行なえる。【００４４】
＜作用効果＞
以下、本実施形態の電子源の作用効果について説明する。
本実施形態に係る電子源は、一端部に電子放出部を有する針状チップ１と、針状チップ１の一端部と異なる他端部に接合されているカップ状部品６と、カップ状部品６を加熱するための加熱用フィラメント３と、を備える電子源である。そして、加熱用フィラメント３は、カップ状部品６の内部に設けられている空隙中に、カップ状部品６に対して非接触状態になるように配置されている。【００４５】
この構成によれば、加熱用フィラメント３が、カップ状部品６の内部に設けられている空隙中に、カップ状部品６に対して非接触状態になるように配置されているため、加熱用フィラメント３と、カップ状部品６に接合されている針状チップ１が有する電子放出部とが互いに非接触状態に設けられていることになる。そして、加熱用フィラメント３と、電子放出部とが互いに非接触状態に設けられているため、装置外部で発生した振動に対して加熱用フィラメント３が共振したとしても、加熱用フィラメント３の共振が電子放出部に伝わって電子放出部そのものも振動することをほぼ完全に抑制することができる。【００４６】
その結果、この構成によれば、電子放出部がほとんど振動しないことによって、電子源から放出される電子線において非常に微小なノイズの発生すら抑制することができる。すなわち、この構成によれば、電子源を用いる装置が外部より振動を受けても、安定した電子線を与えることができる。【００４７】
すなわち、この構成によれば、電子源が実用に供されたときに、装置周辺からの振動により電子源が共振してノイズを発生することが防止されるので、例えば高倍率でＳＥＭ像を観察する場合においても、高分解能な電子線を提供できるという効果が得られる。特に、光源を等倍や拡大、あるいは低い縮小倍率で集束する光学系においては、この針状チップ１のわずかな振動による非常に微小なノイズの影響は深刻なものになりやすいが、そのような深刻な影響を防ぐことができる。【００４８】
また、本実施形態に係る電子源は、加熱用フィラメント３の両端部に電気的に接続されている一対の導電端子４と、一対の導電端子４および加熱用フィラメント３を直接的または間接的に担持する絶縁碍子５と、をさらに備える。【００４９】
このため、本実施形態に係る電子源では、一対の導電端子４を介して加熱用フィラメント３に電流を流すことができ、加熱用フィラメント３からの輻射熱により電子源の安定動作温度領域までカップ状部品６および針状チップ１を加熱することが可能になる。また、絶縁碍子５によって一対の導電端子４を介して加熱用フィラメント３を担持することができるため、本実施形態に係る電子源の力学的な構造安定性を高めることができる。【００５０】
また、本実施形態に係る電子源では、カップ状部品６が開口部を有する凹部を有しており、針状チップ１の他端部がカップ状部品６の外底部に接合されている。そして、加熱用フィラメント３が、カップ状部品６の内部に、カップ状部品６に対して非接触状態になるように配置されている。【００５１】
このため、本実施形態に係る電子源では、カップ状部品６が開口部を有する凹部を有するため、加熱用フィラメント３を、カップ状部品６の内部に、カップ状部品６に対して非接触状態になるように配置すいることが可能になる。その結果、加熱用フィラメント３からの輻射熱により電子源の安定動作温度領域までカップ状部品６および針状チップ１を効率よく加熱することが可能になる。また、針状チップ１の他端部がカップ状部品６の外底部に接合されていることによって、電子源を組み立てるのが容易になり針状チップ１の力学的な構造安定性および位置精度を高めることができる。【００５２】
また、本実施形態に係る電子源では、針状チップ１が、一端部である先端部に電子放出部を有し、他端部である基部においてカップ状部品６の外底部に接合されており、その針状チップ１の基部から先端部へのベクトルが、カップ状部品６の外底部平面に略垂直になるように設けられている。【００５３】
このため、電子源を組み立てる際に、針状チップ１のカップ状部品６の外底部平面での位置決めおよび溶接等による固定がさらに容易になり、針状チップ１の力学的な構造安定性および位置精度をさらに高めることができる。【００５４】
また、本実施形態に係る電子源では、針状チップ１が、タングステン、モリブデン、イリジウム、ニオブ、タンタルまたはレニウムの単結晶と、その単結晶に設けられている金属元素の酸化物を拡散させるための供給源とを有することが好ましい。また、この金属酸化物が、ジルコニウム、チタン、ハフニウム、スカンジウム、イットリウム、ランタノイド系列元素、バリウム、ストロンチウムおよびカルシウムからなる群から選ばれる１種以上の元素を含有することがより好ましい。【００５５】
このようにすれば、１３００Ｋ等の運転条件での長期の動作によっても針状チップ１の電子放射面の仕事関数が低く維持されるという特徴を有している。【００５６】
また、本実施形態に係る電子源では、カップ状部品６が、タングステン、モリブデン、イリジウム、ニオブ、タンタルおよびレニウムからなる群から選ばれる１種以上の金属を含む材料からなることが好ましい。また、カップ状部品６および針状チップ１が、タングステン、モリブデン、イリジウム、ニオブ、タンタルまたはレニウムの単結晶からなる一体成形構造を有することがより好ましい。【００５７】
このようにすれば、カップ状部品６および針状チップ１が同じ材料からなる一体成形構造であるため、カップ状部品６を絶縁碍子５に溶接等で固定することのみで、後から針状チップ１を接続する必要が無く、製造し易い利点が得られる。さらに、この場合には、予め位置精度よく針状チップ１をカップ状部品６に形成することが可能であり針状チップ１の位置精度に優れる電子源が容易に得ることができるので好ましい。【００５８】
また、本実施形態に係る電子源では、針状チップ１の動作温度が１５００Ｋ以下であることが好ましい。加熱フィラメント３による針状チップ１の加熱が確保できるのは１５００Ｋ以下だからであり、この温度範囲であれば、電子源を用いる装置が外部より振動を受けても、電子放出部の振動を特に効果的に抑制することができるので、より一層安定した電子線を与えることができる。【００５９】
以上、図面を参照して本発明の実施形態について述べたが、これらは本発明の例示であり、上記以外の様々な構成を採用することもできる。【００６０】
例えば、上記実施の形態では加熱用フィラメント３をカップ状部品６のカップ内部で螺旋状に巻いて配置することとしたが、特に限定する趣旨ではない。例えば、加熱用フィラメント３をカップ状部品６のカップ内部で、カップ状部品６と所定の間隔（例えば、０．２ｍｍ以上の間隔）を空けた上でジグザグに折り曲げてもよい。このようにしても、同様に加熱用フィラメント３の構造が力学的に安定するので、多少の振動によっても加熱用フィラメント３がカップ状部品６に接触することがなく、加熱用フィラメント３の表面積を多くカップ内に確保できるので、加熱用フィラメント３からの輻射熱により電子源の安定動作温度領域までカップ状部品６および針状チップ１を効率よく加熱できるという利点が得られる。
【実施例】
【００６１】
以下、本発明を実施例によりさらに説明するが、本発明はこれらに限定されるものではない。【００６２】
＜実施例＞
図２および図３に例示した通りに、絶縁碍子５に固定されたタングステンからなるカップ状部品６の内部に非接触で内挿するように、タングステン製のフィラメント３を一対の導電端子４にスポット溶接により固定した。＜１００＞方位の単結晶タングステン針状チップ１をカップ状部品６の外底部にスポット溶接により取り付けた。【００６３】
次に針状チップ１の先端部を電解研磨により尖鋭化した。次に供給源を構成する材料としてバリウム・アルミネート（ＢａＡｌ２Ｏ４）粉末を粉砕して酢酸イソアミルと混合しペースト状にしたものを針状チップ１の一部に塗布し、約４×１０−８Ｐａの超高真空下でフィラメント３加熱により供給源を１５００Ｋで焼成し、図２に示す構造の電子源を得た。【００６４】
前記の電子源をＳＥＭの試料室に入れて、針状チップ１からなる陰極の軸方向が走査方向になるようにして設置し、陰極先端近傍の側面がモニター上にＳＥＭ像として得られるように位置調整を行った。音源として、周波数を任意の範囲、モード、スピードでスイープ可能なソフトウエア（Ｔｅｓｔ  Ｔｏｎｅ  Ｇｅｎｅｒａｔｏｒ）を用い、ＰＣにスピーカーをつないだ。所定音量で前記作製したカソードが入った試料室の外側近傍の所定位置・方向にスピーカーを固定した。【００６５】
ＳＥＭの倍率を５万倍とし、モニター上の画像操作時間を８０秒とした。また、音響発生条件は、周波数範囲を１０００から４０００Ｈｚとして、その範囲をリニアに８０秒でスイープする設定とした。共振による振動により、走査中該当する周波数で横方向に画像がずれ、このずれ幅の２倍をこの条件における振幅とした。【００６６】
電子放射特性評価の為、前記の電子源を図４に示す電極構成を有する評価装置に導入した。針状チップ１の先端はサプレッサー電極８と引き出し電極９との間に配置される。針状チップ１はフィラメント加熱電源１６に接続され、更に高圧電源１５に接続され、引き出し電極９に対して負の高電圧が印加される。また、サプレッサー電極８はバイアス電源１４に接続され、針状チップ１に対して更に負の電圧が印加される。これによりカップ状部品６からの放射熱電子を遮る。電子源からの全放射電流は高圧電源１５とアース間に置かれた電流計１７により測定される。針状チップ１の先端から放射した電子線１８の一部は蛍光板１０の中央に有るアパーチャー１１を通過し、カップ状電極１２に達したプローブ電流Ｉｐが微小電流計１３により測定される。なお、アパーチャー１１と針状チップ１の先端との距離とアパーチャー１１の内径から算出される立体角をωとする角電流密度はＩｐ／ωとなる。【００６７】
そして、電子放射特性評価装置を真空引きし、フィラメント３に通電加熱して針状チップ１を１１００Ｋに加熱されることを確認した。更にサプレッサー電極８に５０Ｖの電圧を印加し、引き出し電極９に３ｋＶの高電圧を印加し、４ｍＡ／ｓｒの角電流密度と１２０μＡの全放射電流の安定な電子放射を確認することができた。【００６８】
＜比較例＞
従来構造の図１に示す構造で、即ち、絶縁碍子５に固定された導電端子４に設けられたタングステン製のフィラメント３にタングステンの＜１００＞方位の針状チップ１がスポット溶接により固着したものに、実施例と同じ方法によりバリウム・アルミネート供給源を形成した。同様に共振試験及び陰極先端位置安定性評価試験を実施した。【００６９】
＜試験結果＞
実施例および比較例を各ｎ＝３で試験した共振試験結果を表１に示す。共振試験において、共振周波数はほぼ同様であったが、振幅が実施例については著しく抑制されていることが確認された。【００７０】
【表１】
2008140080.tif 000003
【００７１】
以上、本発明を実施例に基づいて説明した。この実施例はあくまで例示であり、種々の変形例が可能なこと、またそうした変形例も本発明の範囲にあることは当業者に理解されるところである。【００７２】
たとえば、上記実施例では、カップ状部品６の材料としてタングステン（Ｗ）の単結晶を用いたが、タングステン（Ｗ）、モリブデン（Ｍｏ）、イリジウム（Ｉｒ）、ニオブ（Ｎｂ）、タンタル（Ｔａ）、レニウム（Ｒｅ）のいずれの単結晶であってもよい。いずれのの単結晶からなる材料であっても、高融点金属の単結晶であり、蒸発消耗等により信頼性を損ねることが無く好ましい。
【産業上の利用可能性】
【００７３】
本発明の電子源は、特定な構造を有していて、外部からの振動の影響を受けにくいので、安定した電子線を提供できる特徴があり、走査型電子顕微鏡、オージェ電子分光、電子線露光機、ウェハ検査装置などいろいろな電子線利用装置に適用することで、高輝度電子源の性能が十分に発揮でき、高分解能を達成できる。特に、光源を等倍や拡大、あるいは低い縮小倍率で集束する光学系において極めて有利であり、産業上非常に有用である。
【図１】
2008140080.tif 000004
【図２】
2008140080.tif 000005
【図３】
2008140080.tif 000006
【図４】
2008140080.tif 000007
【国際調査報告】
2008140080.tif 000008
2008140080.tif 000009
2008140080.tif 000010
2008140080.tif 000011